(57)【特許請求の範囲】
【請求項１】
生体情報測定装置であって、
前記生体情報測定装置は、入力部、測定部、および、表示部を有し、  
前記入力部は、入力情報であるユーザーの情報、および、入力情報であるユーザーの要求の少なくとも一方が入力され、
前記測定部は、測定情報である消費カロリーを測定し、
前記表示部は、前記測定部により測定された前記消費カロリーと測定期間とを対応付けたグラフを表示し、前記グラフの測定情報の軸における数値の範囲である目盛表示範囲を表示し、
前記目盛表示範囲は、前記入力情報に応じて設定された基準活動状態の消費カロリーである活動消費カロリー基準値に応じて変化する
生体情報測定装置。
【請求項２】
基準基礎代謝量が、前記ユーザーの情報である年齢、前記ユーザーの情報である性別、前記ユーザーの情報である体重、および、前記ユーザーの情報である身長の少なくとも１つに応じて算出され、
前記活動消費カロリー基準値が、前記基準基礎代謝量に応じて算出される
請求項１に記載の生体情報測定装置。
【請求項３】
前記基準活動状態が、前記予め設定された活動状態により規定され、
前記活動消費カロリー基準値が、前記予め設定された活動状態に対応する運動強度に応じて算出される
請求項１または２に記載の生体情報測定装置。
【請求項４】
前記運動強度が、前記入力情報に応じて算出される
請求項３に記載の生体情報測定装置。
【請求項５】
生体情報測定装置であって、
前記生体情報測定装置は、入力部、測定部、および、表示部を有し、  
前記入力部は、入力情報であるユーザーの体重が入力され、
前記測定部は、測定情報である生体情報、および、測定情報である運動量の少なくとも一方を測定し、
前記表示部は、前記測定部により測定された前記測定情報と測定期間とを対応付けたグラフを表示し、前記グラフの測定情報の軸における数値の範囲である目盛表示範囲を表示し、
前記目盛表示範囲は、前記入力情報であるユーザーの体重に応じて変化する
生体情報測定装置。
【発明の詳細な説明】
【技術分野】
【０００１】
本発明は、入力情報としてのユーザーの情報およびユーザーの要求の少なくとも一方が入力される入力部と、測定情報としての生体情報および運動量の少なくとも一方を測定する測定部と、この測定部により測定された測定情報を表示する表示部とを備える生体情報測定装置に関する。
【背景技術】
【０００２】
上記生体情報測定装置として、特許文献１に記載の活動量計が知られている。
この活動量計は、運動量の積分値を表示部に表示する。
【先行技術文献】
【特許文献】
【０００３】
【特許文献１】特開２００８−８６４８０号公報
【発明の概要】
【発明が解決しようとする課題】
【０００４】
しかし、上記活動量計を使用するユーザーは、測定期間と運動量との関係を確認することができない。なお、ここでは測定部により測定される測定情報として運動量を採用した生体情報測定装置の課題について言及したが、測定情報として別の情報（例えば、体重または血圧）を測定する生体情報測定装置においても上記の課題は共通して生じるものと考えられる。
【０００５】
本発明は、測定情報および測定期間の関係をユーザーに提供することができる生体情報測定装置を提供することを目的としている。
【課題を解決するための手段】
【０００６】
〔１〕本生体情報測定装置の独立した一形態は、次の事項を有する。前記生体情報測定装置は、入力部、測定部、および、表示部を有し、前記入力部は、入力情報であるユーザーの情報、および、入力情報であるユーザーの要求の少なくとも一方が入力され、前記測定部は、測定情報である消費カロリーを測定し、前記表示部は、前記測定部により測定された前記消費カロリーと測定期間とを対応付けたグラフを表示し、前記グラフの測定情報の軸における数値の範囲である目盛表示範囲を表示し、前記目盛表示範囲は、前記入力情報に応じて設定された基準活動状態の消費カロリーである活動消費カロリー基準値に応じて変化する。
〔２〕前記生体情報測定装置に従属する一形態は、次の事項を有する。基準基礎代謝量が、前記ユーザーの情報である年齢、前記ユーザーの情報である性別、前記ユーザーの情報である体重、および、前記ユーザーの情報である身長の少なくとも１つに応じて算出され、前記活動消費カロリー基準値が、前記基準基礎代謝量に応じて算出される。
〔３〕前記生体情報測定装置に従属する一形態は、次の事項を有する。前記基準活動状態が、前記予め設定された活動状態により規定され、前記活動消費カロリー基準値が、前記予め設定された活動状態に対応する運動強度に応じて算出される。
〔４〕前記生体情報測定装置に従属する一形態は、次の事項を有する。前記運動強度が、前記入力情報に応じて算出される。
〔５〕本生体情報測定装置の独立した別の一形態は、次の事項を有する。前記生体情報測定装置は、入力部、測定部、および、表示部を有し、前記入力部は、入力情報であるユーザーの体重が入力され、前記測定部は、測定情報である生体情報、および、測定情報である運動量の少なくとも一方を測定し、前記表示部は、前記測定部により測定された前記測定情報と測定期間とを対応付けたグラフを表示し、前記グラフの測定情報の軸における数値の範囲である目盛表示範囲を表示し、前記目盛表示範囲は、前記入力情報であるユーザーの体重に応じて変化する。
【発明の効果】
【００１７】
本生体情報測定装置によれば、測定情報および測定期間の関係をユーザーに提供することができる。
【図面の簡単な説明】
【００１８】
【図１】（ａ）第１実施形態の生体情報測定装置の斜視図。（ｂ）図１（ａ）の矢視Ａの側面図。
【図２】第１実施形態の表示部の正面図。
【図３】（ａ）第１実施形態の表示部の一表示例を示す正面図。（ｂ）表示部の別の一表示例を示す正面図。
【図４】第２実施形態のグラフの１目盛あたりの活動消費カロリーおよび入力体重の関係を示す表。
【図５】（ａ）第３実施形態の第２区画部分の一表示例を示す正面図。（ｂ）第２区画部分の別の一表示例を示す正面図。（ｃ）第２区画部分の別の一表示例を示す正面図。（ｄ）第２区画部分の別の一表示例を示す正面図。
【図６】第４実施形態の年齢および性別と基礎代謝基準値との関係を示す表。
【図７】第４実施形態のグラフの１目盛当たりの活動消費カロリーを示す表。
【発明を実施するための形態】
【００１９】
（第１実施形態）
図１を参照して、生体情報測定装置としての活動量計１の全体構成について説明する。
活動量計１には、表示部３０を有する本体１０と、表示部３０を覆うカバー２０とが設けられている。
【００２０】
カバー２０は、本体１０に対して回転可能な状態で本体１０に取り付けられている。カバー２０の先端部分には、ユーザーの衣服等に取り付けるためのクリップ２１が設けられている。クリップ２１は、側面視においてＳ字形状を有する部材として構成されている。なお、本体１０は「測定部」に相当する。
【００２１】
本体１０には、加速度センサをはじめとする各種の構成要素が収容されるハウジング１１が設けられている。ハウジング１１には、ユーザーが活動量計１を操作するための操作部１２と、セグメント方式の液晶ディスプレイを有する表示部３０とが設けられている。
【００２２】
表示部３０には、液晶を挟む透明基板３０Ａと、液晶に電圧を印加するためのセグメントとしての透明電極（図示略）とが設けられている。透明電極は、透明基板３０Ａに設けられている。
【００２３】
表示部３０は、本体１０により測定された測定情報としての活動消費カロリーと、操作部１２により入力された入力情報としてのユーザーの情報と、操作部１２により入力された入力情報としてのユーザーの要求とを表示する。
【００２４】
ユーザーの情報としては、性別、年齢、身長、および体重等が入力される。またユーザーの要求としては、表示部３０の表示内容の切り替えるための設定が入力される。以下では、操作部１２の操作により入力された性別、年齢、身長、および体重をそれぞれ「入力性別ＳＳ」、「入力年齢ＳＡ」、「入力身長ＳＨ」、および「入力体重ＳＷ」とする。なお、操作部１２は「入力部」に相当する。
【００２５】
ここで、本体１０の方向を次のように定義する。
（ａ）本体１０の短手方向を「本体１０の高さ方向」とし、本体１０の長手方向を「本体１０の幅方向」とする。
（ｂ）本体１０の高さ方向において、カバー２０と本体１０との接続部分から本体１０の先端に向かう方向を「上方」とし、高さ方向において上方とは反対の方向を「下方」とする。
（ｃ）本体１０の幅方向において、表示部３０を正面からみたときの右側の方向を「右方」とし、表示部３０を正面からみたときの左側の方向を「左方」とする。
【００２６】
図２を参照して、表示部３０の構成について説明する。
表示部３０には、表示部３０の表示領域を第１区画部分４０と第２区画部分５０とに区画する区画表示セグメント３１が設けられている。
【００２７】
第１区画部分４０には、３種類のセグメントすなわち、第１数値表示セグメント４１、第１単位表示セグメント４２、および測定内容表示セグメント４３が設けられている。なお、図２は第１区画部分４０の各セグメントの全てが表示された状態を示している。
【００２８】
第１数値表示セグメント４１は、図１の操作部１２によりユーザーが入力したユーザーの情報、および図１の本体１０により測定された測定情報を「０」〜「９」の数値により最大８桁で表示する。
【００２９】
第１単位表示セグメント４２は、第１数値表示セグメント４１により表示された数値の単位を表示する。具体的には、「Ｅｘ．」、「％」、「歩」、「ｋｍ」、および「ｋｃａｌ」を表示する。なお、「Ｅｘ．」は、エクササイズすなわち身体活動の量を示す。
【００３０】
測定内容表示セグメント４３は、本体１０により測定された測定情報の内容等を表示する。具体的には、「活動」、「今日」、「区間」、「総消費」、「目標」、「合計」、および「達成率」を表示する。
【００３１】
第２区画部分５０には、５種類のセグメントすなわち、第２数値表示セグメント５１、設定内容表示セグメント５２、第２単位表示セグメント５３、電池残量表示セグメント５４、およびグラフ表示セグメント６１が設けられている。なお、図２は第２区画部分５０の各セグメントの全てが表示された状態を示している。
【００３２】
第２数値表示セグメント５１は、数値を表示する。具体的には、「６」、「１２」、「１８」、および「２４」を表示する。
設定内容表示セグメント５２は、操作部１２の操作により設定された条件、および過去の測定結果等を表示する。具体的には、「回前」、「あと」、「男」、および「女」を表示する。
【００３３】
第２単位表示セグメント５３は、表示部３０に表示された測定結果および設定内容の数値の単位を表示する。具体的には、「ｋｇ」、「ｋｇ／月」、「日前」、「才」、「分」、「ｃｍ」、「ｋｃａｌ」、および「ｇ」を表示する。
【００３４】
電池残量表示セグメント５４は、内部電源である電池の残量を表示する。
グラフ表示セグメント６１は、測定結果を示すグラフ６０を構成している。
グラフ６０の縦軸は、高さ方向に設けられた６行分のグラフ表示セグメント６１により構成されている。グラフ６０の横軸は、幅方向に設けられた２４列分のグラフ表示セグメント６１により構成されている。すなわち、グラフ６０は合計１４４個のグラフ表示セグメント６１により構成されている。
【００３５】
図３を参照して、表示部３０の表示例について説明する。
表示部３０の表示モードとしては、図３（ａ）に示される活動消費カロリー表示モードと、図３（ｂ）に示される歩数表示モードとが予め用意されている。ユーザーは、図１の操作部１２を操作することにより表示モードを切り替えることができる。
【００３６】
図３（ａ）を参照して、活動消費カロリー表示モードの表示内容について説明する。
活動消費カロリー表示モードにおいては、表示部３０の第１区画部分４０に活動消費カロリーの測定開始からの積分値と、１日の目標となる活動消費カロリー（以下、「目標活動消費カロリー」）とが表示される。また、表示部３０の第２区画部分５０にグラフ６０が表示される。
【００３７】
グラフ６０の横軸には、１日分の時間として午前３時から次の日の午前３時までの２４時間が設定されている。グラフ６０の縦軸には、活動消費カロリーが設定されている。目標活動消費カロリーは、操作部１２の操作により設定される。
【００３８】
グラフ６０の詳細な構成について説明する。
グラフ６０の横軸は、単位測定時間を示す列により複数に区分されている。ここでは、単位測定時間として「１時間」が設定されている。また、１つのグラフ表示セグメント６１により単位測定時間が示される。すなわち、グラフ６０の横軸には、１時間を単位測定時間とするグラフ表示セグメント６１が２４列分にわたり設けられている。
【００３９】
横軸の各列が示す時間帯は連続している。また、横軸の左端の列から右端の列に向かうにつれて各列が示す時間が新しい時間に変化する。横軸の各列は具体的には次の時間帯を示す。
【００４０】
左端の列は、「０３：００：００」〜「０３：５９：５９」の時間帯を示している。右端の列は、「０２：００：００」〜「０２：５９：５９」の時間帯を示している。左端の列と右端の列との間の各列は、「ＮＮ：００：００」〜「ＮＮ：５９：５９」の時間帯を示している。「ＮＮ」は、各列に対応する時間を示す部分であり、左端の列を基準として右側に１列すすむにつれて１時間が加算された値を示す。
【００４１】
グラフ６０の縦軸は、単位測定範囲を示す目盛により複数に区分されている。ここでは、単位測定範囲として目盛毎に所定の活動消費カロリーの範囲が設定されている。また、１つのグラフ表示セグメント６１により単位測定範囲が示される。すなわち、グラフ６０の縦軸には、所定の活動消費カロリーの範囲を単位測定範囲とするグラフ表示セグメント６１が６行分にわたり設けられている。
【００４２】
ここで、各目盛について次のように定義する。
縦軸において最も下段に位置する目盛を「最下段目盛」とする。また、縦軸において最も上段に位置する目盛を「最上段目盛」とする。また、最下段目盛と最上段目盛との間の目盛を「中間目盛」とする。また、１列の目盛が表示することのできる活動消費カロリーの数値の範囲を「目盛表示範囲」とする。
【００４３】
最下段目盛の単位測定範囲は、中間目盛の単位測定範囲よりも大きい。中間目盛の各目盛の単位測定範囲はそれぞれ等しい。最上段目盛の単位測定範囲は、各中間目盛の単位測定範囲と等しい。
【００４４】
縦軸の各目盛が示す活動消費カロリーの範囲は連続している。また、最下段目盛から最上段目盛に向かうにつれて各目盛が示す活動消費カロリーの量が増大する。縦軸の各目盛は具体的には以下の（ａ）〜（ｆ）の活動消費カロリーの範囲を示している。
【００４５】
なお、以下の活動消費カロリーの各閾値ＸＡ〜ＸＦは「ＸＡ＜ＸＢ＜ＸＣ＜ＸＤ＜ＸＥ＜ＸＦ」の関係を有している。また、ここでは最下段目盛を基準として最下段目盛から最上段目盛に向かうにつれて目盛の番号が大きくなるように各目盛に番号が付されている。
【００４６】
各目盛の活動消費カロリーの単位測定範囲は以下のように設定されている。
（ａ）１番目の目盛は「０ｋｃａｌよりも大きくかつＸＡｋｃａｌ未満」の範囲を示す。
（ｂ）２番目の目盛は「ＸＡｋｃａｌ以上かつＸＢｋｃａｌ未満」の範囲を示す。
（ｃ）３番目の目盛は「ＸＢｋｃａｌ以上かつＸＣｋｃａｌ未満」の範囲を示す。
（ｄ）４番目の目盛は「ＸＣｋｃａｌ以上かつＸＤｋｃａｌ未満」の範囲を示す。
（ｅ）５番目の目盛は「ＸＤｋｃａｌ以上かつＸＥｋｃａｌ未満」の範囲を示す。
（ｆ）６番目の目盛は「ＸＥｋｃａｌ以上かつＸＦｋｃａｌ未満」の範囲を示す。
【００４７】
上記のとおり各目盛が示す活動消費カロリーの範囲（以下、「目盛表示範囲」）が設定されていることにより、１列の目盛による活動消費カロリーの目盛表示範囲は、「０ｋｃａｌより大きくかつＸＦｋｃａｌ未満の範囲」の範囲となる。なお、閾値ＸＦは「カロリー閾値」に相当する。
【００４８】
図３（ａ）のグラフ６０の表示態様について説明する。
任意の単位測定時間において活動消費カロリーの測定結果が得られているとき、横軸において同単位測定時間に対応する列の目盛が縦軸において活動消費カロリーの測定結果に対応する個数にわたり点灯する。
【００４９】
例えば、「０６：００：００」〜「０６：５９：５９」の時間帯における活動消費カロリーの測定結果として「ＹＡｋｃａｌ」が得られているとき、横軸において「０６：００：００」〜「０６：５９：５９」の時間帯に対応する列の目盛が縦軸において３個にわたり点灯する。
【００５０】
また、任意の単位測定時間において活動消費カロリーの測定結果が「０ｋｃａｌよりも大きくかつＸＡｋｃａｌ未満」のとき、横軸において同単位測定時間に対応する列の目盛が縦軸において１つだけ点灯する。
【００５１】
例えば、「１１：００：００」〜「１１：５９：５９」の時間帯に活動消費カロリーの測定結果として「ＹＢｋｃａｌ」（ＹＢ＜ＸＡ）が得られているとき、横軸において「１１：００：００」〜「１１：５９：５９」の時間帯に対応する列の目盛が縦軸において１つだけ点灯する。
【００５２】
また、任意の単位測定時間において活動消費カロリーの測定結果が「ＸＦｋｃａｌ以上」のとき、横軸において同単位測定時間に対応する列の目盛が全て点灯し、かつ同列の目盛が一定の周期で点滅する。
【００５３】
例えば、「１９：００：００」〜「１９：５９：５９」の時間帯に活動消費カロリーの測定結果として「ＹＣｋｃａｌ」（ＹＣ≧ＸＦ）が得られているとき、横軸において「１９：００：００」〜「１９：５９：５９」に対応する列の目盛が縦軸において全て点灯し、かつ同列の目盛が一定の周期で点滅する。
【００５４】
図３（ｂ）を参照して、歩数表示モードの表示内容について説明する。
歩数表示モードにおいては、表示部３０の第１区画部分４０に歩数の測定開始からの積分値と、１日の目標となる歩数（以下、「目標歩数」）とが表示される。また、表示部３０の第２区画部分５０にグラフ６０が表示される。
【００５５】
グラフ６０の横軸には、１日分の時間として午前３時から次の日の午前３時までの２４時間が設定されている。グラフ６０の縦軸には、歩数が設定されている。目標歩数は、操作部１２の操作により設定される。
【００５６】
グラフ６０の詳細な構成について説明する。なお、グラフ６０の横軸の構成は、活動消費カロリー表示モードの場合と同様のため、グラフ６０の横軸の構成についての説明を省略する。
【００５７】
グラフ６０の縦軸は、単位測定範囲を示す目盛により複数に区分されている。ここでは、単位測定範囲として目盛毎に所定の歩数の範囲が設定されている。また、１つのグラフ表示セグメント６１により単位測定範囲が示される。すなわち、グラフ６０の縦軸には、所定の歩数の範囲を単位測定範囲とするグラフ表示セグメント６１が６行分にわたり設けられている。
【００５８】
ここで、各目盛について次のように定義する。
縦軸において最も下段に位置する目盛を「最下段目盛」とする。また、縦軸において最も上段に位置する目盛を「最上段目盛」とする。また、最下段目盛と最上段目盛との間の目盛を「中間目盛」とする。また、１列の目盛が表示することのできる歩数の数値の範囲を「目盛表示範囲」とする。
【００５９】
最下段目盛の単位測定範囲は、中間目盛の単位測定範囲よりも大きい。中間目盛の各目盛の単位測定範囲はそれぞれ等しい。最上段目盛の単位測定範囲は、最下段目盛および中間目盛の単位測定範囲よりも大きい。
【００６０】
縦軸の各目盛が示す歩数の範囲は連続している。また、最下段目盛から最上段目盛に向かうにつれて各目盛が示す歩数の範囲が増大する。縦軸の各目盛は具体的には以下の（ａ）〜（ｆ）の歩数の範囲を示している。
【００６１】
なお、以下の歩数の各閾値ＺＡ〜ＺＦは「ＺＡ＜ＺＢ＜ＺＣ＜ＺＤ＜ＺＥ＜ＺＦ」の関係を有している。また、ここでは最下段目盛を基準として最下段目盛から最上段目盛に向かうにつれて目盛の番号が大きくなるように各目盛に番号が付されている。
【００６２】
各列の歩数の単位測定範囲は以下のように設定されている。
（ａ）１番目の目盛は「０歩よりも大きくかつＺＡ歩未満」を示す。
（ｂ）２番目の目盛は「ＺＡ歩以上かつＺＢ歩未満」を示す。
（ｃ）３番目の目盛は「ＺＢ歩以上かつＺＣ歩未満」を示す。
（ｄ）４番目の目盛は「ＺＣ歩以上かつＺＤ歩未満」を示す。
（ｅ）５番目の目盛は「ＺＤ歩以上かつＺＥ歩未満」を示す。
（ｆ）６番目の目盛は「ＺＥ歩以上かつＺＦ歩未満」を示す。
【００６３】
上記のとおり目盛表示範囲が設定されていることにより、１列の目盛による歩数の目盛表示範囲は、「０歩より大きくかつＺＦ歩未満の範囲」の範囲となる。なお、閾値ＺＦは「歩数閾値」に相当する。
【００６４】
図３（ｂ）のグラフ６０の表示態様について説明する。
任意の単位測定時間において歩数の測定結果が得られているとき、横軸において同単位測定時間に対応する列の目盛が縦軸において歩数の測定結果に対応する個数にわたり点灯する。
【００６５】
例えば、「０６：００：００」〜「０６：５９：５９」の時間帯における歩数の測定結果として「ＷＡ歩」（ＺＡ≦ＷＡ＜ＺＢ）が得られているとき、横軸において「０６：００：００」〜「０６：５９：５９」の時間帯に対応する列の目盛が縦軸において２個にわたり点灯する。
【００６６】
また、任意の単位測定時間において歩数の測定結果が「０歩よりも大きくかつＺＡ歩未満」のとき、横軸において同単位測定時間に対応する列の目盛が縦軸において１つだけ点灯する。
【００６７】
例えば、「１１：００：００」〜「１１：５９：５９」の時間帯に歩数の測定結果として「ＷＢ歩」（ＷＢ＜ＺＡ）が得られているとき、横軸において「１１：００：００」〜「１１：５９：５９」の時間帯に対応する列の目盛が縦軸において１つだけ点灯する。
【００６８】
また、任意の単位測定時間において歩数の測定結果が「ＺＦｋｃａｌ以上」のとき、横軸において同単位測定時間に対応する列の目盛が縦軸において全て点灯し、かつ同列の目盛が一定の周期で点滅する。
【００６９】
例えば、「０７：００：００」〜「０７：５９：５９」の時間帯に歩数の測定結果として「ＷＣｋｃａｌ」（ＷＣ≧ＺＦ）が得られているとき、横軸において「１９：００：００」〜「１９：５９：５９」に対応する列の目盛が縦軸において全て点灯し、かつ同列の目盛が一定の周期で点滅する。
【００７０】
（実施形態の効果）
本実施形態の活動量計１によれば以下の効果が得られる。
（１）活動量計１の表示部３０にはグラフ６０が表示される。この構成によれば、グラフ６０により単位測定時間毎の活動消費カロリーおよび歩数が表示されるため、測定情報および測定期間の関係をユーザーに提供することができる。またユーザーは、活動消費カロリーおよび歩数が多い時間帯を容易に認識することができる。
【００７１】
（２）活動量計１においては、測定結果としての活動消費カロリーが縦軸の目盛表示範囲の上限値以上のとき、対応する列の目盛が全て点灯し、かつ同目盛が点滅する。この構成によれば、ユーザーは活動消費カロリーが多い時間帯を容易に認識することができる。また、測定結果としての活動消費カロリーがグラフ６０の目盛表示範囲の上限値以上の値であることを容易に認識することができる。
【００７２】
（３）活動量計１においては、測定結果としての歩数が縦軸の目盛表示範囲の上限値以上のとき、対応する列の目盛が全て点灯し、かつ同目盛が点滅する。この構成によれば、ユーザーは歩数が多い時間帯を容易に認識することができる。また、測定結果としての歩数がグラフ６０の目盛表示範囲の上限値以上の値であることを容易に認識することができる。
【００７３】
（４）活動消費カロリーおよび歩数の測定結果は、体重および体脂肪等の測定結果と比較して、単位測定時間毎の値の変化が大きいため、グラフ６０の縦軸の目盛表示範囲の上限値を上回る可能性が高い。すなわち、測定結果がグラフ６０の目盛表示範囲を超えているにもかかわらず、ユーザーがそのことを認識できない状況が生じる可能性が高い。
【００７４】
この点、活動量計１においては上記（２）または（３）に記載のとおり、グラフ６０の目盛を点滅させる構成が採用されているため、測定結果がグラフ６０の目盛表示範囲を超えていることをユーザーに適切に認識させることができる。
【００７５】
（第２実施形態）
本実施形態の活動量計１は、第１実施形態の活動量計１の一部を変更したものとして構成されている。このため、以下では第１実施形態の活動量計１と異なる点の詳細を説明し、同実施形態と共通する構成については同一の符号を付してその説明の一部または全部を省略する。
【００７６】
第１実施形態の活動量計１では、グラフ６０の目盛表示範囲が固定されている。これに対して本実施形態の活動量計１では、ユーザーの情報としての体重に応じてすなわち、図１の本体１０に入力された体重（入力体重ＳＷ）に応じて目盛表示範囲を変更している。
【００７７】
図４を参照して、入力体重ＳＷに基づく目盛表示範囲の変更態様について説明する。なお、歩数の目盛表示範囲の変更も同様の態様で行なわれるため、歩数の目盛表示範囲の変更についての説明を省略する。
【００７８】
図４において、表示目盛の軸の「１」〜「６」は、単位測定時間の活動消費カロリーが「１」〜「６」のそれぞれの行に対応する単位測定時間のいずれかに含まれるとき、対応する番号の目盛が点灯することを示している。また、表示目盛の軸の「点滅」は、単位測定時間の活動消費カロリーが「点滅」の行に対応する単位測定範囲に含まれるとき、対応する目盛の列が点滅することを示している。
【００７９】
入力体重ＳＷには以下の第１〜第４体重領域が設定されている。
（ａ）第１体重領域はＸ１ｋｇ未満の体重を含む領域を示す。
（ｂ）第２体重領域はＸ１ｋｇ以上かつＸ２ｋｇ未満の体重を含む領域を示す。
（ｃ）第３体重領域はＸ２ｋｇ以上かつＸ３ｋｇ未満の体重を含む領域を示す。
（ｄ）第４体重領域はＸ３ｋｇ以上の体重を含む領域を示す。
【００８０】
目盛表示範囲は体重領域毎に設定されている。同じ番号の目盛についての目盛表示範囲は、体重が大きい体重領域となるにつれて大きくなる。このため、同一の番号の目盛が示す活動消費カロリーの上限および下限は体重領域毎に異なる。
【００８１】
各目盛の単位測定範囲の関係を以下に示す。
（ａ）１番目の目盛の単位測定範囲は「第１体重領域＜第２体重領域＜第３体重領域＜第４体重領域」の関係に設定されている。
（ｂ）２番目の目盛の単位測定範囲は「第１体重領域＜第２体重領域＜第３体重領域＜第４体重領域」の関係に設定されている。
（ｃ）３番目の目盛の単位測定範囲は「第１体重領域＜第２体重領域＜第３体重領域＜第４体重領域」の関係に設定されている。
（ｄ）４番目の目盛の単位測定範囲は「第１体重領域＜第２体重領域＜第３体重領域＜第４体重領域」の関係に設定されている。
（ｅ）５番目の目盛の単位測定範囲は「第１体重領域＜第２体重領域＜第３体重領域＜第４体重領域」の関係に設定されている。
（ｆ）６番目の目盛の単位測定範囲は「第１体重領域＜第２体重領域＜第３体重領域＜第４体重領域」の関係に設定されている。
（ｇ）点滅の行に対応する目盛の単位測定範囲は「第１体重領域＜第２体重領域＜第３体重領域＜第４体重領域」の関係に設定されている。
【００８２】
各目盛の上限値の関係を以下に示す。
（ａ）１番目の目盛の上限値は「第１体重領域＜第２体重領域＜第３体重領域＜第４体重領域」の関係に設定されている。
（ｂ）２番目の目盛の上限値は「第１体重領域＜第２体重領域＜第３体重領域＜第４体重領域」の関係に設定されている。
（ｃ）３番目の目盛の上限値は「第１体重領域＜第２体重領域＜第３体重領域＜第４体重領域」の関係に設定されている。
（ｄ）４番目の目盛の上限値は「第１体重領域＜第２体重領域＜第３体重領域＜第４体重領域」の関係に設定されている。
（ｅ）５番目の目盛の上限値は「第１体重領域＜第２体重領域＜第３体重領域＜第４体重領域」の関係に設定されている。
（ｆ）６番目の目盛の上限値は「第１体重領域＜第２体重領域＜第３体重領域＜第４体重領域」の関係に設定されている。
【００８３】
各目盛の下限値の関係を以下に示す。
（ａ）１番目の目盛の下限値は「第１体重領域＜第２体重領域＜第３体重領域＜第４体重領域」の関係に設定されている。
（ｂ）２番目の目盛の下限値は「第１体重領域＜第２体重領域＜第３体重領域＜第４体重領域」の関係に設定されている。
（ｃ）３番目の目盛の下限値は「第１体重領域＜第２体重領域＜第３体重領域＜第４体重領域」の関係に設定されている。
（ｄ）４番目の目盛の下限値は「第１体重領域＜第２体重領域＜第３体重領域＜第４体重領域」の関係に設定されている。
（ｅ）５番目の目盛の下限値は「第１体重領域＜第２体重領域＜第３体重領域＜第４体重領域」の関係に設定されている。
（ｆ）６番目の目盛の下限値は「第１体重領域＜第２体重領域＜第３体重領域＜第４体重領域」の関係に設定されている。
（ｇ）点滅の行に対応する目盛の下限値は「第１体重領域＜第２体重領域＜第３体重領域＜第４体重領域」の関係に設定されている。
【００８４】
目盛表示範囲の設定は次のように行なわれる。
（Ａ）入力体重ＳＷが第１体重領域に属するとき、各目盛についての目盛表示範囲として図４の第１体重領域の範囲が設定される。すなわち、各目盛についての目盛表示範囲として閾値Ａ１〜Ａ７が選択される。
【００８５】
（Ｂ）入力体重ＳＷが第２体重領域に属するとき、各目盛についての目盛表示範囲として図４の第２体重領域の範囲が設定される。すなわち、各目盛についての目盛表示範囲を定める閾値として閾値Ｂ１〜Ｂ７が選択される。
【００８６】
（Ｃ）入力体重ＳＷが第３体重領域に属するとき、各目盛についての目盛表示範囲として図４の第３体重領域の範囲が設定される。すなわち、各目盛についての目盛表示範囲として閾値Ｃ１〜Ｃ７が選択される。
【００８７】
（Ｄ）入力体重ＳＷが第４体重領域に属するとき、各目盛についての目盛表示範囲として図４の第４体重領域の範囲が設定される。すなわち、各目盛についての目盛表示範囲として閾値Ｄ１〜Ｄ７が選択される。
【００８８】
（実施形態の効果）
本実施形態の活動量計１によれば、第１実施形態の活動量計１の（１）〜（４）の効果に加え、以下の（５）の効果が得られる。
【００８９】
（５）体重が多いユーザーは、体重が少ないユーザーと比較して同じ運動量のときの活動消費カロリーが高くなる傾向にある。このため、グラフ６０の各列の目盛表示範囲がユーザーの体重にかかわらず一律に同じ範囲が設定されている場合、体重が多いユーザーの測定結果がグラフ６０の目盛表示範囲の上限を超える頻度が高くなる。
【００９０】
活動量計１においては、入力体重ＳＷに応じて目盛表示範囲が変更され、かつ入力体重ＳＷが大きくなるにつれて同範囲が大きく設定される。この構成によれば、体重が多いユーザーの測定結果がグラフ６０の目盛表示範囲の上限を超える頻度が少なくなる。
【００９１】
（第３実施形態）
本実施形態の活動量計１は、第１実施形態の活動量計１の一部を変更したものとして構成されている。このため、以下では第１実施形態の活動量計１と異なる点の詳細を説明し、同実施形態と共通する構成については同一の符号を付してその説明の一部または全部を省略する。
【００９２】
第１実施形態の活動量計１では、単位測定時間毎の活動消費カロリーがＸＦｋｃａｌ以上のとき、同単位測定時間に対応する列の目盛を点滅させる。これに対して本実施形態の活動量計１では、単位測定時間毎の活動消費カロリーがＸＦｋｃａｌ以上のとき、グラフ６０の最下段目盛を間引いて測定結果を表示する。
【００９３】
図５を参照して、グラフ６０の表示態様の詳細について説明する。なお、ここでは活動消費カロリーが表示される場合の例が示されているが、歩数についても同様の態様で表示が行なわれるため、歩数の表示についての説明を省略する。
【００９４】
図５（ａ）に示されるように、「１４：００：００」〜「１４：５９：５９」の時間帯の活動消費カロリーの測定結果がＸＦｋｃａｌ以上となる状況を想定する。このとき、ＸＦｋｃａｌ以上の測定結果に相当する分は目盛により表示されない。
【００９５】
図５（ｂ）に示されるように、グラフ６０の横軸の全体にわたり最下段目盛が間引かれる。すなわち、最下段目盛の目盛表示範囲が２番目の目盛の目盛表示範囲に置換される。また、２番目〜５番目の目盛の目盛表示範囲も同様にそれぞれ１段上の目盛の目盛表示範囲に置換される。また、６番目の目盛の目盛表示範囲として新たに「ＸＦｋｃａｌ以上かつＸＧｋｃａｌ未満」の範囲が設定される。
【００９６】
閾値ＸＧは、閾値ＸＦよりも大きい値として予め設定されている。また、６番目の目盛についての目盛表示範囲の上限値と下限値との差は、１番目から５番目の各目盛についての目盛表示範囲の上限値と下限値との差と同じ大きさとなる。
【００９７】
上記のように目盛表示範囲が１段繰り下げられ、かつ最上段目盛の目盛表示範囲としてそれまでの最上段目盛の目盛表示範囲よりも含まれる活動消費カロリーの量が大きい範囲が設定されることにより、該当する目盛の列の上限値がそれまでの上限値よりも大きい値に更新される。
【００９８】
図５（ｃ）に示されるように、「１５：００：００」〜「１５：５９：５９」の時間帯の活動消費カロリーの測定結果がＸＧｋｃａｌ以上となる状況を想定する。このとき、ＸＧｋｃａｌ以上の測定結果に相当する分は目盛により表示されない。
【００９９】
図５（ｄ）に示されるように、グラフ６０の横軸の全体にわたり最下段目盛が間引かれる。すなわち、最下段目盛の目盛表示範囲が２番目の目盛の目盛表示範囲に置換される。また、２番目〜５番目の目盛の目盛表示範囲も同様にそれぞれ１段上の目盛の目盛表示範囲に置換される。また、６番目の目盛の目盛表示範囲として新たに「ＸＧｋｃａｌ以上かつＸＨｋｃａｌ未満」の範囲が設定される。
【０１００】
閾値ＸＨは、閾値ＸＧよりも大きい値として予め設定されている。また、６番目の目盛についての目盛表示範囲の上限値と下限値との差は、１番目から５番目の各目盛についての目盛表示範囲の上限値と下限値との差と同じ大きさとなる。
【０１０１】
そして、上記以降の時間帯においても測定結果が同時間帯に対応する目盛の列の上限値以上となる状況が生じたとき、図５（ｂ）および図５（ｄ）に示される態様と同様の態様で最下段目盛を間引く処理が行なわれる。なお、閾値ＸＧおよび閾値ＸＨは「所定範囲の上限値」および「目盛表示範囲の上限値」に相当する。
【０１０２】
（実施形態の効果）
本実施形態の活動量計１によれば、第１実施形態の活動量計１の（１）〜（３）の効果に加えて、以下の（６）の効果が得られる。
【０１０３】
（６）活動量計１においては、単位測定時間毎の活動消費カロリーがＸＦｋｃａｌ以上のとき、グラフ６０の最下段目盛を間引いて測定結果を表示する。この構成によれば、最下段目盛を間引く処理を行なう前の状態において、目盛の列の上限値を上回る分の測定結果すなわち目盛により表示されない分の測定結果を目盛により表示することができる。
【０１０４】
（第４実施形態）
本実施形態の活動量計１は、第２実施形態の活動量計１の一部を変更したものとして構成されている。このため、以下では第２実施形態の活動量計１と異なる点の詳細を説明し、同実施形態と共通する構成については同一の符号を付してその説明の一部または全部を省略する。
【０１０５】
第２実施形態の活動量計１では、ユーザーの情報としての入力体重ＳＷに応じて目盛表示範囲を設定している。これに対して、本実施形態の活動量計１では、ユーザーの標準的な活動状態としての基準活動状態を予め規定し、この基準活動状態の活動消費カロリー（以下、「活動消費カロリー基準値ＶＸ」）をユーザーの情報としての入力性別ＳＳ、入力年齢ＳＡ、入力身長ＳＨ、および入力体重ＳＷに基づいて算出する。そして、活動消費カロリー基準値ＶＸに応じて目盛表示範囲を設定する。
【０１０６】
基準活動状態は、１時間において第１の活動状態および第２の活動状態が得られることを条件として規定されている。また、第１の活動状態は、第１の運動としての歩行が第１運動時間ＴＡにわたり行なわれることを条件として規定されている。また、第２の活動状態は、第２の運動としての立位が第２運動時間ＴＢにわたり行なわれることを条件として規定されている。
【０１０７】
このため、活動消費カロリー基準値ＶＸは、ユーザーが１時間において第１運動時間ＴＡにわたり歩行し、かつ第２運動時間ＴＢにわたり立位したときの活動消費カロリーを示すものとなる。なお、第１運動時間ＴＡおよび第２運動時間ＴＢはそれぞれ積算時間として想定されている。
【０１０８】
活動量計１では、具体的には以下の手順で目盛表示範囲を設定する。
（手順１）入力性別ＳＳおよび入力年齢ＳＡに基づいて基礎代謝基準値ＫＡを算出する。
（手順２）入力身長ＳＨおよび入力体重ＳＷに基づいて体表面積値ＢＡを算出する。
（手順３）基礎代謝基準値ＫＡおよび体表面積値ＢＡに基づいて、１分間当たりの基礎代謝量ＫＢを算出する。なお、基礎代謝量ＫＢは「基準基礎代謝量」に相当する。
（手順４）基礎代謝量ＫＢおよび基準活動状態の運動強度および運動時間に基づいて、活動消費カロリー基準値ＶＸを算出する。
（手順５）活動消費カロリー基準値ＶＸに基づいて目盛表示範囲を設定する。
【０１０９】
上記各パラメーターの単位を以下に示す。
・基礎代謝基準値ＫＡの単位は、「ｋｃａｌ／ｍ２／時」により示される。
・基礎代謝量ＫＢの単位は、「ｋｃａｌ／分」により示される。
・体表面積値ＢＡの単位は、「ｍ２」により示される。
・活動消費カロリー基準値ＶＸの単位は、「ｋｃａｌ／時」により示される。
【０１１０】
上記各パラメーターの具体的な計算方法を以下に示す。
（ａ）基礎代謝基準値ＫＡは、図６のテーブルに基づいて算出される。
（ｂ）体表面積値ＢＡは、下記式（１）により算出される。
【０１１１】
ＢＡ←０．００８８８３×ＳＷ０．４４４×ＳＨ０．６６３  …  （１）
（ｃ）１分間当たりの基礎代謝量ＫＢは、下記式（２）により算出される。
【０１１２】
ＫＢ←ＫＡ×ＢＡ／６０  …  （２）
（ｄ）活動消費カロリー基準値ＶＸは、下記式（３）により算出される。
【０１１３】
ＶＸ←ＲＫ×ＭＴ×ＫＢ  …  （３）
・「ＲＫ」は、予め実施された実験等の結果に応じて適合された定数を示す。
・「ＭＴ」は、基準活動状態の補正エクササイズを示す。
【０１１４】
なお、エクササイズは一般に安静状態を含めた運動強度および運動時間の乗算により示される。一方、この活動量計１においては、安静状態を除いた運動強度および運動時間の乗算により示されるパラメーターをエクササイズに類する「補正エクササイズ」として規定している。
【０１１５】
（ｅ）補正エクササイズは、下記式（４）により算出される。
ＭＴ←（ＭＡ−１）×ＴＡ＋（ＭＢ−１）×ＴＢ  …  （４）
・「ＴＡ」は、第１の運動としての歩行の時間を示す。
・「ＴＢ」は、第２の運動としての立位の時間を示す。
・「ＭＡ」は、歩行の運動強度としての第１運動強度を示す。
・「ＭＢ」は、立位の運動強度としての第２運動強度を示す。
【０１１６】
活動量計１においては、安静状態を除いたユーザーの活動にともなう消費カロリー（活動消費カロリー）を図３のグラフ６０に表示する。このため、安静状態の運動強度に相当する「１ＭＥＴｓ」を第１運動強度および第２運動強度のそれぞれから減算している。そして、補正後の第１運動強度および第２運動強度にそれぞれの活動状態に対して予め設定された運動時間を乗算し、その結果を加算したものを補正エクササイズとして設定する。
【０１１７】
（ｆ）上記式（３）および式（４）により活動消費カロリー基準値ＶＸの算出式は下記式（５）により示される。
ＶＸ←ＲＫ×（ＭＡ−１）×ＴＡ＋（ＭＢ−１）×ＴＢ×ＫＢ  …  （５）
活動量計１においては、第１の活動状態として歩行が設定されているため、「ＭＡ」としては「３ＭＥＴｓ」が設定されている。また、第２の活動状態として立位が設定されているため、「ＭＢ」としては「１．８ＭＥＴｓ」が設定されている。なお、第２の運動としての時間ＴＢは、「６０−ＴＡ」により算出される。
【０１１８】
図７を参照して、目盛表示範囲の設定方法に設定する。
活動消費カロリー基準値ＶＸに基づいて、「１」〜「６」および「点滅」の行に対応する各閾値ＶＡ〜ＶＥ、すなわち各目盛の目盛表示範囲を設定する。ここでは、縦軸において６個の目盛の中間に位置する３番目および４番目の目盛について、後者の目盛の上限値として活動消費カロリー基準値ＶＸを設定する。そして、この上限値としての活動消費カロリー基準値ＶＸを基準として、４番目の目盛の下限値、ならびに他の目盛の上限値および下限値をそれぞれ設定する。
【０１１９】
各閾値ＶＡ〜ＶＥは以下のように設定されている。
（ａ）閾値ＶＡは、活動消費カロリー基準値ＶＸの４分の１の値を示す。
（ｂ）閾値ＶＢは、活動消費カロリー基準値ＶＸの２分の１の値を示す。
（ｃ）閾値ＶＣは、活動消費カロリー基準値ＶＸの４分の３の値を示す。
（ｄ）閾値ＶＤは、活動消費カロリー基準値ＶＸの４分の５の値を示す。
（ｅ）閾値ＶＥは、活動消費カロリー基準値ＶＸの２分の３の値を示す。
【０１２０】
各目盛の活動消費カロリーの単位測定範囲は以下のように設定されている。
（ａ）１番目の目盛は「０ｋｃａｌよりも大きくかつＶＡｋｃａｌ未満」の範囲を示す。
（ｂ）２番目の目盛は「ＶＡｋｃａｌ以上かつＶＢｋｃａｌ未満」の範囲を示す。
（ｃ）３番目の目盛は「ＶＢｋｃａｌ以上かつＶＣｋｃａｌ未満」の範囲を示す。
（ｄ）４番目の目盛は「ＶＣｋｃａｌ以上かつＶＸｋｃａｌ未満」の範囲を示す。
（ｅ）５番目の目盛は「ＶＸｋｃａｌ以上かつＶＤｋｃａｌ未満」の範囲を示す。
（ｆ）６番目の目盛は「ＶＤｋｃａｌ以上かつＶＥｋｃａｌ未満」の範囲を示す。
（ｇ）点滅の行に対応する目盛表示範囲は「ＶＥｋｃａｌ以上」を示す。
【０１２１】
上記のとおり目盛表示範囲が設定されていることにより、６個の目盛により構成される１列の活動消費カロリーの目盛表示範囲は、「０ｋｃａｌより大きくかつＶＥｋｃａｌ未満」の範囲となる。
【０１２２】
（実施形態の効果）
本実施形態の活動量計１によれば、第１実施形態の活動量計１の（１）〜（４）の効果に加えて、以下の（７）の効果が得られる。
【０１２３】
（７）活動量計１においては、活動消費カロリー基準値ＶＸに基づいて各目盛の目盛表示範囲が変更される。この構成によれば、ユーザーの基準活動状態を基準として測定結果が目盛により表示されるため、ユーザーの活動状態が多岐にわたる場合においても測定結果が目盛により表示される頻度が高くなる。
【０１２４】
（その他の実施形態）
本発明の実施態様は、第１〜第４実施形態の内容に限られるものではなく、例えば以下のように変更することもできる。また以下の変形例は第１〜第４実施形態についてのみ適用されるものではなく、異なる変形例同士を互いに組み合わせて実施することもできる。
【０１２５】
・第１実施形態（図３）では、測定結果が縦軸の目盛表示範囲の上限値以上のとき、対応する目盛の列を一定の周期で点滅させる処理が行なわれるが、点滅の周期を活動消費カロリーまたは歩数に応じて変更することもできる。その一例として以下の（Ａ）および（Ｂ）が挙げられる。
（Ａ）活動消費カロリーまたは歩数が増加するにつれて目盛の点滅周期を短くする。
（Ｂ）点滅周期が互いに異なる複数の点滅パターンを予め用意し、活動消費カロリーまたは歩数に応じていずれかの点滅パターンを選択する。
【０１２６】
・第１実施形態（図３）において、目盛の列が点滅している状態において活動消費カロリーまたは歩数の増加量が所定量以上のとき、さらに以下の（Ａ）および（Ｂ）に示される表示処理を行なうこともできる。
（Ａ）最下段目盛を間引いて目盛を表示する。
（Ｂ）１つの目盛の目盛表示範囲を大きくする。
【０１２７】
・第１実施形態（図３）では、測定結果が縦軸の目盛表示範囲の上限値以上であることを条件に目盛の列を点滅させる処理が行なわれるが、目盛の列を点滅させるための条件を次のように変更することもできる。すなわち、縦軸の目盛表示範囲の上限値よりも小さい所定の閾値を設定し、測定結果がこの閾値以上のときに対応する目盛の列を点滅させることもできる。
【０１２８】
・第２実施形態（図４）では、目盛表示範囲が入力体重ＳＷに応じて変更されるが、ユーザーの情報としての「年齢」、「性別」、「身長」、「体脂肪率」、および「目標活動消費カロリー」の少なくとも１つに応じて目盛表示範囲を変更することもできる。また、各情報と目盛表示範囲との関係については例えば以下のように設定することができる。
（Ａ）年齢が若くなるにつれて目盛表示範囲を大きくする。
（Ｂ）男性の場合の目盛表示範囲を女性の場合の目盛表示範囲よりも大きくする。
（Ｃ）身長が高くなるにつれて目盛表示範囲を大きくする。
（Ｄ）体脂肪率が大きくなるにつれて目盛表示範囲を大きくする。
（Ｅ）目標活動消費カロリーが大きくなるにつれて目盛表示範囲を大きくする。
【０１２９】
・第２実施形態（図４）では、目盛表示範囲を入力体重ＳＷに応じて変更しているが、操作部１２の操作により入力されたユーザーの要求としての目盛表示範囲の設定情報に基づいて、目盛表示範囲の大きさを変更することもできる。
【０１３０】
・第３実施形態（図５）では、測定結果が縦軸の目盛表示範囲の上限値以上のとき、グラフ６０の横軸の全体にわたり最下段目盛が間引かれて測定結果が表示されるが、最下段目盛を間引く条件を次のように変更することもできる。すなわち、縦軸の目盛表示範囲の上限値よりも小さい所定の閾値を設定し、測定結果がこの閾値以上のときに最下段目盛を間引いて測定結果を表示することもできる。
【０１３１】
・第３実施形態（図５）では、測定結果が縦軸の目盛表示範囲の上限値以上のとき、横軸の全体にわたり最下段目盛が間引かれて測定結果が表示されるが、最下段目盛に加えてさらに少なくとも１つの目盛を間引くこともできる。なお、この場合に追加で間引かれる目盛は下段側から順に選択される。
【０１３２】
・第３実施形態（図５）では、測定結果が縦軸の目盛表示範囲の上限値以上のとき、横軸の全体にわたり最下段目盛が間引いて測定結果が表示されるが、測定結果が上限値以上のときの測定結果の表示方法はこれに限られない。例えば、目盛表示範囲を大きくすることもできる。また、同目盛表示範囲を大きくする処理の実行後に測定結果が再び上限値以上となるとき、目盛表示範囲をさらに大きくする処理、および目盛の列を点滅させる処理の少なくとも一方を行なうこともできる。
【０１３３】
・第４実施形態（図７）では、入力性別ＳＳ、入力年齢ＳＡ、入力身長ＳＨ、および入力体重ＳＷに基づいて基礎代謝量ＫＢが算出されるが、基礎代謝量ＫＢの算出方法を次のように変更することもできる。
（Ａ）入力性別ＳＳ、入力年齢ＳＡ、入力身長ＳＨ、および入力体重ＳＷのうちの１つのパラメーターに基づいて基礎代謝量ＫＢを算出する。
（Ｂ）入力性別ＳＳ、入力年齢ＳＡ、入力身長ＳＨ、および入力体重ＳＷのうちの２つまたは３つのパラメーターの組み合わせに基づいて基礎代謝量ＫＢを算出する。
【０１３４】
・第４実施形態（図７）では、第１の活動状態としての歩行および第２の活動状態としての立位に基づいて１時間の基準活動状態が規定されているが、基準活動状態の規定の内容を次のように変更することもできる。
（Ａ）１つの活動状態により１時間の基準活動状態を規定する。
（Ｂ）３つ以上の活動状態により１時間の基準活動状態を規定する。
【０１３５】
なお、上記（Ａ）および（Ｂ）においての活動状態としては、例えば立位、歩行、ジョギング、およびデスクワークのなかから選択することができる。また、これ以外の活動状態を含めて選択肢を構成し、そのなかから基準活動状態を規定する活動状態を選択することもできる。
【０１３６】
・第４実施形態（図７）では、予め設定された第１の活動状態および第２の活動状態により基準活動状態の内容が固定されているが、ユーザーにより基準活動状態の内容を変更することが可能な構成を採用することもできる。この場合の具体的な構成としては、例えば以下の（Ａ）および（Ｂ）が挙げられる。
（Ａ）基準活動状態を規定する活動状態の種類、および各活動状態の活動時間の双方を操作部１２の操作により入力する。
（Ｂ）予め用意された複数の基準活動状態を操作部１２の操作により選択する。
【０１３７】
・第１〜第４実施形態（図２）では、セグメント方式の表示部３０が用いられているが、ドットマトリックス方式の表示部を用いることもできる。
・第１〜第４実施形態（図３）では、グラフ６０の横軸の単位測定時間が１時間に設定されているが、単位測定時間は１時間に限られない。例えば、単位測定時間として１日または１分を設定することもできる。
【０１３８】
・第１〜第４実施形態（図３）では、第１区画部分４０に活動消費カロリーまたは歩数の積分値が表示され、かつ第２区画部分５０にグラフ６０が表示されているが、第１区画部分４０の表示内容と第２区画部分５０の表示内容とを入れ替えることもできる。
【０１３９】
・第１〜第４実施形態（図３）では、グラフ６０の縦軸として活動消費カロリーまたは歩数が設定され、かつグラフ６０の横軸として単位測定時間が設定されているが、縦軸の表示内容と横軸の表示内容とを入れ替えることもできる。
【０１４０】
・第１〜第４実施形態（図２）では、グラフ６０の縦軸が６個のグラフ表示セグメント６１により構成されているが、縦軸を構成するグラフ表示セグメント６１の個数を次のように変更することもできる。
（Ａ１）縦軸のグラフ表示セグメント６１の個数を１個〜５個のいずれかに設定する。
（Ａ２）縦軸のグラフ表示セグメント６１の個数を７個以上のいずれかに設定する。
【０１４１】
・第１〜第４実施形態（図２）では、グラフ６０の横軸が２４個のグラフ表示セグメント６１により構成されているが、横軸を構成するグラフ表示セグメント６１の個数を次のように変更することもできる。
（Ｂ１）横軸のグラフ表示セグメント６１の個数を１個〜２３個のいずれかに設定する。
（Ｂ２）横軸のグラフ表示セグメント６１の個数を２５個以上のいずれかに設定する。
【０１４２】
・上記変形例の（Ａ１）と（Ｂ１）または（Ｂ２）とを組み合わせることもできる。また、（Ａ２）と（Ｂ１）または（Ｂ２）とを組み合わせることもできる。
・第１〜第３実施形態（図３）では、活動消費カロリーおよび歩数が表示部３０に表示されるが、活動消費カロリーを表示する機能を省略することもできる。また、歩数を表示する機能を省略することもできる。
【０１４３】
・第１〜第３実施形態（図３）では、運動量として活動消費カロリーおよび歩数が表示部３０に表示されるが、活動消費カロリーおよび歩数に代えて燃焼脂肪量および運動強度の少なくとも一方を表示することもできる。
【０１４４】
・第１〜第４実施形態（図１）では、入力情報としてユーザーの情報およびユーザーの要求を入力する機能が操作部１２に設けられているが、ユーザーの情報を入力する機能を操作部１２から省略することもできる。また、ユーザーの要求を入力する機能を操作部１２から省略することもできる。
【０１４５】
・第１〜第４実施形態（図２）では、消費カロリーとして活動消費カロリーが表示部３０に表示されるが、活動消費カロリーに代えて総消費カロリーを表示部３０に表示することもできる。総消費カロリーは、運動強度および測定時間に基づいて算出される。
【０１４６】
・第１〜第４実施形態（図１）では、生体情報測定装置としての活動量計１に対して本発明が適用された一例が示されているが、血圧計および体組成測定装置に対して本発明を適用することもできる。血圧計においては、活動消費カロリーおよび歩数に代えて血圧および脈拍の少なくとも一方を生体情報として測定することができる。また、体組成測定装置においては、活動消費カロリーおよび歩数に代えて体重および体脂肪率の少なくとも一方を生体情報として測定することができる。
【符号の説明】
【０１４７】
１…活動量計（生体情報測定装置）、１０…本体（測定部）、１２…操作部（入力部）、３０…表示部、４０…第１区画部分、５０…第２区画部分、６０…グラフ。
【図１】
0005395112.tif 000002
【図２】
0005395112.tif 000003
【図３】
0005395112.tif 000004
【図４】
0005395112.tif 000005
【図５】
0005395112.tif 000006
【図６】
0005395112.tif 000007
【図７】
0005395112.tif 000008